(57)【要約】【課題】素早く移動させた役物を任意の位置で停止させることができる遊技機の演出装置を提供すること。【解決手段】遊技機の演出装置は、ベースと、ベースに対して移動可能に組み付けられた役物５０とを有している。役物５０の移動は、アクチュエータ６４の駆動力によって行われている。役物５０には、役物５０自身の移動に対するアクチュエータ６４の駆動力を伝達または遮断する電磁クラッチ６８が備えられている。【選択図】図１１
2017136290.tif 000002
【特許請求の範囲】
【請求項１】
ベースと、
ベースに対して移動可能に組み付けられた役物と、を有し、
役物の移動は、アクチュエータの駆動力によって行われる遊技機の演出装置であって、
役物には、役物自身の移動に対するアクチュエータの駆動力を伝達または遮断する電磁クラッチが備えられている遊技機の演出装置。
【発明の詳細な説明】
【技術分野】
【０００１】
本発明は、遊技機の演出装置に関し、詳しくは、ベースと、ベースに対して移動可能に組み付けられた役物とを有し、役物の移動は、アクチュエータの駆動力によって行われる遊技機の演出装置に関する。
【背景技術】
【０００２】
従来、パチンコ機等の遊技機の演出装置において、その演出効果を高めるために役物が遊技盤に対して組み付けられたものが既に知られている。ここで、下記特許文献１には、役物が遊技盤に対してアクチュエータの駆動力を介して昇降可能に組み付けられているパチンコ機の演出装置が開示されている。これにより、役物を自由落下により素早く移動させる演出を実施できるため、役物の演出時に変化の富んだ自由度の高い演出を実施できる。
【先行技術文献】
【特許文献】
【０００３】
【特許文献１】特開２０１４−１４６０２号公報
【発明の概要】
【発明が解決しようとする課題】
【０００４】
しかしながら、上述した特許文献１の技術では、自由落下させた役物を所望する高さ位置で停止させるとき、この役物に対して予め設けたストッパを干渉させる構成となっている。そのため、役物を停止させる高さ位置ごとに、予めストッパを設けておく必要があった。言い換えると、予めストッパを設けた高さ位置にしか、役物を停止させることができなかった。したがって、任意の高さ位置で役物を停止させることができなかった。
【０００５】
本発明は、このような課題を解決しようとするもので、その目的は、素早く移動させた役物を任意の位置で停止させることができる遊技機の演出装置を提供することである。
【課題を解決するための手段】
【０００６】
本発明は、上記の目的を達成するためのものであって、以下のように構成されている。
請求項１に記載の発明は、ベースと、ベースに対して移動可能に組み付けられた役物とを有する遊技機の演出装置である。役物の移動は、アクチュエータの駆動力によって行われている。役物には、役物自身の移動に対するアクチュエータの駆動力を伝達または遮断する電磁クラッチが備えられている。
【０００７】
請求項１の発明によれば、電磁クラッチに対して通電を解消させるだけで役物を自由落下させることができる。また、役物を自由落下させているとき、電磁クラッチに通電させるだけで、この自由落下させている役物を任意の高さ位置で停止させることができる。なお、このように停止させても、従来技術で説明したように、予めストッパを設けておく必要がない。
【図面の簡単な説明】
【０００８】
【図１】実施例１に係るパチンコ機の正面図である。
【図２】図１のパチンコ機の斜視図である。
【図３】図２の分解図である。
【図４】図３の演出装置の拡大図である。
【図５】図４の演出装置の分解図である。
【図６】図５の役物ユニットの拡大図である。
【図７】図６の役物ユニットの分解図である。
【図８】図７を反対側から見た図である。
【図９】図８のサブ役物の拡大図である。
【図１０】図９のサブ役物の分解図である。
【図１１】図１０のサブ役物を反対側から見た図である。
【図１２】図９の役物ユニットの電気的な構成を説明するブロック図である。
【図１３】図４における演出装置の動作の一例を示す図である。
【図１４】図４における演出装置の動作の他の例を示す図である。
【図１５】実施例２の演出装置の拡大図である。
【図１６】図１５の演出装置の分解図である。
【図１７】図１５における演出装置の動作の一例を示す図である。
【図１８】図１７における演出装置の正面図である。
【図１９】図１５における演出装置の動作の他の例を示す図である。
【発明を実施するための形態】
【０００９】
以下、本発明を実施するための形態を、図面を用いて説明する。
（実施例１）
まず、図１〜１４を参照して、本発明の実施例１を説明する。はじめに、実施例１に係る遊技機１の全体構成を説明する。なお、遊技機１の例としてパチンコ機１を説明することとする。
【００１０】
このパチンコ機１は、主として、パチンコホールにおける遊技島のベース（いずれも図示しない）に組み付けられる外枠２と、この外枠２に対して開閉可能にヒンジ結合される内枠３と、この内枠３に対して組み付けられる遊技盤ユニット４と、この内枠３に対して開閉可能にヒンジ結合されるガラス枠５とから構成されている。
【００１１】
この遊技盤ユニット４は、遊技盤４ａと、この遊技盤４ａの裏面に組み付けられる演出装置４ｂとから構成されている。この演出装置４ｂは、ケース１０と、このケース１０の凹面１２に組み付けられた役物ユニット２０とから構成されている（図４〜５参照）。以下に、これらケース１０と役物ユニット２０とを個別に説明していく。
【００１２】
はじめに、図４〜５を参照して、ケース１０を説明する。このケース１０の凹面１２には、その板厚を貫通するように矩形の開口１４が形成されている。また、この凹面１２の裏面側には、開口１４を塞ぐように液晶モニタ１６が組み付けられている。この液晶モニタ１６により、例えば、大当たりの抽選結果の図柄を表示できる。ケース１０は、このように構成されている。
【００１３】
次に、図５〜１１を参照して、役物ユニット２０を説明する。この役物ユニット２０は、ケース１０の凹面１２を上下に橋渡すように４本のビスＢ１を介して組み付けられたベース３０と、このベース３０の長手方向に沿って昇降（上下にスライド）可能に組み付けられた役物４０とから構成されている。このベース３０の裏面には、その長手方向に沿ってラック歯３２が形成されている（図８参照）。
【００１４】
また、このベース３０には、役物４０が上端位置にいることを検出可能なフォトセンサ３４（図５〜１１において、図示しない）が組み付けられている。一方、この役物４０は、その裏側に位置するサブ役物５０と、その表側に位置するメイン役物９０とから構成されている（図６〜８参照）。
【００１５】
ここで、このサブ役物５０について詳述すると、このサブ役物５０は、ケース６０と、カバー８０とから構成されている。このケース６０の凹み６２の外面６２ａには、駆動軸６４ａが貫通するようにモータ６４が２本のビスＢ２を介して組み付けられている（図９〜１１参照）。この貫通した駆動軸６４ａには、駆動ギヤ６６が固着されている。また、このケース６０の凹み６２の内面６２ｂには、ブッシュ６８ａを介して電磁クラッチ６８が固着されている。
【００１６】
この電磁クラッチ６８には、電磁石に対する励磁で動作する公知のクラッチ機構（いずれも図示しない）と、駆動ギヤ６６に噛み合う外周ギヤ６８ｂと、回転軸６８ｃとが設けられている。この回転軸６８ｃには、ベース３０のラック歯３２に噛み合うピニオンギヤ７０が固着されている。そのため、例えば、電磁石を通電（ＯＮ）させるとクラッチ機構が動作するため、駆動ギヤ６６の回転を電磁クラッチ６８の回転軸６８ｃに伝達できる。
【００１７】
これとは逆に、この通電を解消（ＯＦＦ）させるとクラッチ機構の動作も解消するため、この電磁クラッチ６８の回転軸６８ｃの伝達も解消できる。カバー８０は、これら駆動ギヤ６６とピニオンギヤ７０とを覆うように４本のビスＢ３を介してケース６０に組み付けられている。なお、カバー８０には、切欠８２が形成されている（図１０参照）。
【００１８】
そのため、後述するようにメイン役物９０に対してサブ役物５０を組み付けたとき、この切欠８２を介してベース３０のラック歯３２とピニオンギヤ７０とを噛み合わせることができる。サブ役物５０は、このように構成されている。このように構成されているサブ役物５０は、４本のビスＢ４を介してベース３０を挟み込むようにメイン役物９０に組み付けられている（図７〜８参照）。
【００１９】
ここで、図１２を参照して、この役物ユニット２０の電気的な構成を説明する。この役物ユニット２０のベース３０には、所定のプログラムが記憶されている制御装置３６が組み付けられている。この制御装置３６は、上述したフォトセンサ３４とモータ６４と、電磁クラッチ６８とに対してそれぞれ電気的に接続されている。また、この制御装置３６は、電磁クラッチ６８の電磁石を通電（ＯＮ）させる動作信号を発信可能となっている。そのため、電磁クラッチ６８のクラッチ機構を動作させることができる。
【００２０】
また、この制御装置３６は、モータ６４に対してパルスを発信可能となっている。そのため、モータ６４は制御装置３６から発信されるパルスの数だけ駆動することとなる。したがって、予め、制御装置３６は、役物４０の下降する長さ（下降量）を決めることができる。また、フォトセンサ３４が役物４０を検出する上端位置が昇降する役物４０の初期位置となっている。そのため、制御装置３６は、発信したパルスの数から下降した役物４０の高さ位置を認識できる。なお、下降した役物４０の戻し（上昇）は、フォトセンサ３４が役物４０を検出するまで行われる。
【００２１】
このように役物４０の下降は、常に、上端位置である初期位置を基準に行われる。そのため、制御装置３６が予め決定した役物４０の下降量と、下降した役物４０の高さ位置とが、いつのまにかズレてしまうことを防止できる。また、制御装置３６は、電磁クラッチ６８の電磁石に対して通電させたり、この通電を解消させたりできる。役物ユニット２０は、このように構成されている。
【００２２】
続いて、図４、１３〜１４を参照して、上述した役物ユニット２０の動作を説明する。まず、図４に示すように、役物４０が上端位置にあるときから説明する。この図４に示す状態から、モータ６４を一方側に駆動させると、駆動ギヤ６６も一方側に回転する。これにより、電磁クラッチ６８の外周ギヤ６８ｂも一方側に回転するため、ピニオンギヤ７０も一方側に回転する。そのため、役物４０が上端位置から下降していく。やがて、下端位置に到達すると、役物４０の下降が停止することとなる（図１３参照）。
【００２３】
これとは逆に、この図１３に示す状態から、モータ６４を他方側に駆動させると、駆動ギヤ６６も他方側に回転する。これにより、電磁クラッチ６８の外周ギヤ６８ｂも他方側に回転するため、ピニオンギヤ７０も他方側に回転する。そのため、役物４０が下端位置から上昇していく。やがて、上端位置に到達すると、役物４０の上昇が停止することとなる（図４参照）。
【００２４】
なお、上述した役物４０の下降において、モータ６４を一方側に駆動させることなく、電磁クラッチ６８の電磁石に対する通電を解消（ＯＦＦ）させても良い。その場合、役物４０が自由落下することとなる。そして、自由落下させている役物４０が所望する高さ位置に到達すると、電磁クラッチ６８の電磁石に対して通電（ＯＮ）させて役物４０の自由落下を停止させることができる（図１４参照）。なお、この通電させるタイミングは、電磁石に対する通電を解消（ＯＦＦ）させた後の経過時間を計って実施するものである。
【００２５】
このように電磁クラッチ６８の電磁石に対して通電を解消させるだけで役物４０を自由落下させることができる。また、役物４０を自由落下（素早く移動）させているとき、この電磁クラッチ６８の電磁石に対して通電させるだけで役物４０を任意の高さ位置で停止させることができる。なお、このように停止させても、従来技術で説明したように、予めストッパを設けておく必要がない。
【００２６】
（実施例２）
次に、図１５〜１９を参照して、本発明の実施例２を説明する。この実施例２は、既に説明した実施例１と比較すると、役物４０が左右に移動する形態である。なお、以下の説明にあたって、実施例１で説明した部材と同一もしくは均等な構成の部材には、図面において同一符号を付すことで重複する説明は省略することとする。
【００２７】
この実施例２の演出装置１０４ｂの役物ユニット２０は、ケース１０の凹面１２を左右に橋渡すように４本のビスＢ１を介して組み付けられたベース３０と、このベース３０の長手方向に沿って移動（左右にスライド）可能に組み付けられた一対の役物４０とから構成されている（図１５〜１６参照）。
【００２８】
なお、この一対の役物４０のうち、左側の役物４０には、ベース３０の左端に対してコンストンスプリング（定荷重ばね）Ｓが掛け止めされている（図１７〜１８参照）。これと同様に、この一対の役物４０のうち、右側の役物４０には、ベース３０の右端に対してコンストンスプリング（定荷重ばね）Ｓが掛け止めされている。
【００２９】
続いて、図１５、１７、１９を参照して、上述した実施例２の役物ユニット２０の動作を説明する。なお、役物４０は対を成すように構成されている。そのため、この説明では、一対の役物４０のうち、左側の役物４０を説明することで、右側の役物４０の説明を省略することとする。
【００３０】
まず、図１５に示すように、左側の役物４０が左端位置にあるときから説明する。この図１５に示す状態から、モータ６４を一方側に駆動させると、駆動ギヤ６６も一方側に回転する。これにより、電磁クラッチ６８の外周ギヤ６８ｂも一方側に回転するため、ピニオンギヤ７０も一方側に回転する。そのため、役物４０が左端位置から中央に向けてスライドしていく。やがて、中央位置に到達すると、左側の役物４０のスライドが停止することとなる（図１７参照）。
【００３１】
これとは逆に、この図１７に示す状態から、モータ６４を他方側に駆動させると、駆動ギヤ６６も他方側に回転する。これにより、電磁クラッチ６８の外周ギヤ６８ｂも他方側に回転するため、ピニオンギヤ７０も他方側に回転する。そのため、左側の役物４０が中央位置から左側に向けてスライドしていく。やがて、左端位置に到達すると、左側の役物４０のスライドが停止することとなる（図１５参照）。
【００３２】
なお、上述した左側に向けたスライドにおいて、モータ６４を他方側に駆動させることなく、電磁クラッチ６８の電磁石に対する通電を解消（ＯＦＦ）させても良い。その場合、左側の役物４０がコンストンスプリングの復元力によって素早くスライドすることとなる。そして、この復元力によってスライドさせている役物４０が所望するスライド位置に到達すると、電磁クラッチ６８の電磁石に対して通電（ＯＮ）させて役物４０のスライドを停止させることができる（図１９参照）。
【００３３】
このように電磁クラッチ６８の電磁石に対して通電を解消させるだけで役物４０を素早くスライドさせることができる。また、このように役物４０を素早くスライドさせているとき、この電磁クラッチ６８の電磁石に対して通電させるだけで役物４０を任意のスライド位置で停止させることができる。なお、このように停止させても、従来技術で説明したように、予めストッパを設けておく必要がない。
【００３４】
上述した内容は、あくまでも本発明の一実施の形態に関するものであって、本発明が上記内容に限定されることを意味するものではない。
【００３５】
各実施例では、アクチュエータとして、モータ６４を説明した。しかし、これに限定されるものでなく、アクチュエータは各種の駆動源で構わない。また、各実施例では、役物４０が昇降したり左右にスライドする形態を説明した。しかし、これに限定されるものでなく、役物４０が斜めにスライドしたり円弧状に移動する形態でも構わない。
【符号の説明】
【００３６】
１        パチンコ機（遊技機）
４ｂ      演出装置（実施例１）
３０      ベース
４０      役物
６４      モータ（アクチュエータ）
６８      電磁クラッチ
１０４ｂ  演出装置（実施例２）
【図１】
2017136290.tif 000003
【図２】
2017136290.tif 000004
【図３】
2017136290.tif 000005
【図４】
2017136290.tif 000006
【図５】
2017136290.tif 000007
【図６】
2017136290.tif 000008
【図７】
2017136290.tif 000009
【図８】
2017136290.tif 000010
【図９】
2017136290.tif 000011
【図１０】
2017136290.tif 000012
【図１１】
2017136290.tif 000013
【図１２】
2017136290.tif 000014
【図１３】
2017136290.tif 000015
【図１４】
2017136290.tif 000016
【図１５】
2017136290.tif 000017
【図１６】
2017136290.tif 000018
【図１７】
2017136290.tif 000019
【図１８】
2017136290.tif 000020
【図１９】
2017136290.tif 000021